(57)【要約】【課題】玄関の統一感を損なうことなく、使い勝手に優れたエントランスユニットを提供する。【解決手段】照明取り付けブロック１、室名表示ブロック２、インターホン取り付けブロック３、新聞受けブロック５を有し、そのブロックを組み合わせて上下方向に連結したエントランスユニットにおいて、上下方向に連結されたブロックの左右方向に、傘掛けブロック６、花台ブロック７を接続する。【選択図】図１
2009045330.tif 000002
【特許請求の範囲】
【請求項１】
照明取り付け部（１）、室名表示部（２）、インターホン取り付け部（３）、新聞受け部（５）のうちの少なくとも２種類以上の部分を有し、その部分を上下方向に並べて配置したエントランスユニットにおいて、上下方向に並べて配置された前記部分の左右方向に、傘掛け部（６）、花台部（７）のうちの少なくとも１種類以上の部分を接続したことを特徴とするエントランスユニット。
【請求項２】
照明取り付けブロック（１）、室名表示ブロック（２）、インターホン取り付けブロック（３）、新聞受けブロック（５）のうちの少なくとも２種類以上のブロックを有し、そのブロックを組み合わせて上下方向に連結したエントランスユニットにおいて、上下方向に連結された前記ブロックの左右方向に、傘掛けブロック（６）、花台ブロック（７）のうちの少なくとも１種類以上のブロックを接続したことを特徴とするエントランスユニット。
【発明の詳細な説明】
【技術分野】
【０００１】
この発明は、集合住宅やホテルで各玄関扉の横に設置されるエントランスユニットに関する。
【背景技術】
【０００２】
一般に、集合住宅やホテルなど、複数の住戸や客室を有する建物では、各玄関扉の横にエントランスユニットが設置される。このようなエントランスユニットとして、照明取り付け部、室名表示部、インターホン取り付け部、新聞受け部のうちの２種類以上の部分を有し、その部分が上下方向に並べて配置されたものが知られている（特許文献１）。
【特許文献１】特開２００４−１１７５０４号公報
【発明の開示】
【発明が解決しようとする課題】
【０００３】
ところで、濡れた傘を、玄関で一時的に掛けておきたい場合や、玄関に花を飾りたい場合、傘掛けや花台があると便利である。しかし、この傘掛け部や花台部を、上記のエントランスユニットとは別個に玄関に設置すると、玄関の統一感がなくなり、玄関全体としてのデザインを損なう。
【０００４】
そこで、この発明の発明者は、傘掛け部や花台部をエントランスユニットに組み込むことを検討し、傘掛け部や花台部を、室名表示部や新聞受け部と上下方向に並べて配置したエントランスユニットを考案した。
【０００５】
しかし、このエントランスユニットは、傘掛け部を、新聞受け部よりも上に配置すると、傘掛け部に掛けた傘で、新聞受けに差し込まれた新聞が濡れるおそれがある。一方、傘掛け部を、新聞受け部よりも下に配置すると、傘掛け部の位置が低すぎて、傘掛け部に掛けた傘が斜めになってしまう。
【０００６】
また、花台を、室名表示部やインターホン取り付け部よりも下に配置すると、花台に飾る花の背が高い場合、その花で室名表示部やインターホン取り付け部が隠れるおそれがある。一方、花台を、室名表示部やインターホン取り付け部よりも上に配置すると、花の位置が高すぎて、玄関のデザインを損なう。
【０００７】
この発明が解決しようとする課題は、玄関の統一感を損なうことなく、使い勝手に優れたエントランスユニットを提供することである。
【課題を解決するための手段】
【０００８】
上記の課題を解決するため、照明取り付け部、室名表示部、インターホン取り付け部、新聞受け部のうちの少なくとも２種類以上の部分を有し、その部分を上下方向に並べて配置したエントランスユニットにおいて、上下方向に並べて配置された前記部分の左右方向に、傘掛け部、花台部のうちの少なくとも１種類以上の部分を接続した。
【０００９】
このようなエントランスユニットとして、例えば、照明取り付けブロック、室名表示ブロック、インターホン取り付けブロック、新聞受けブロックのうちの少なくとも２種類以上のブロックを有し、そのブロックを組み合わせて上下方向に連結し、上下方向に連結された前記ブロックの左右方向に、傘掛けブロック、花台ブロックのうちの少なくとも１種類以上のブロックを接続したものを挙げることができる。
【発明の効果】
【００１０】
この発明のエントランスユニットは、傘掛け部や花台部を一体に有するので、傘掛けや花台をエントランスユニットとは別個に設置する必要がなく、玄関の統一感を損なわない。
【００１１】
また、この発明のエントランスユニットは、傘掛け部や花台部を左右方向に接続したので、傘掛け部に掛けた傘で、新聞受けに差し込まれた新聞が濡れたり、花台に飾った花で室名表示部やインターホン取り付け部が隠れたりするのを防止することができ、使い勝手に優れる。
【００１２】
また、照明取り付けブロック、室名表示ブロック、インターホン取り付けブロック、新聞受けブロックのうちの少なくとも２種類以上のブロックを有し、そのブロックを組み合わせて上下方向に連結したエントランスユニットにおいて、上下方向に連結された前記ブロックの左右方向に、傘掛けブロック、花台ブロックのうちの少なくとも１種類以上のブロックを接続したものは、ブロックの組み合わせ方を変えることにより、エントランスユニットを自由にデザインすることができる。
【発明を実施するための最良の形態】
【００１３】
図１から図３に、この発明の実施形態のエントランスユニットを示す。このエントランスユニットは、図１に示すように、玄関扉Ｄの横に設置して用いられ、照明取り付けブロック１、室名表示ブロック２、インターホン取り付けブロック３、エンプティブロック４、新聞受けブロック５、傘掛けブロック６、花台ブロック７を一体に有する。これらのブロック１〜７のうち、照明取り付けブロック１、室名表示ブロック２、インターホン取り付けブロック３、エンプティブロック４、新聞受けブロック５は上下方向に連結されており、その左右方向に、傘掛けブロック６、花台ブロック７が接続されている。
【００１４】
照明取り付けブロック１は、照明灯８が取り付けられるブロックであり、その照明灯８で他のブロック２〜７を照らす。照明取り付けブロック１は、図４に示す方形の枠体１ａと、照明灯８を支持するパネル１ｂと、照明灯８を覆う照明カバー１ｃとからなる。
【００１５】
室名表示ブロック２は、図２に示すように、室名札９が取り付けられるブロックであり、その室名札９で住戸の室名や客室の室名を表示する。室名表示ブロック２は、図４に示す方形の枠体２ａと、室名札９を支持するパネル２ｂとからなり、パネル２ｂの前面に部屋番号が付されている。
【００１６】
インターホン取り付けブロック３は、インターホン１０が取り付けられるブロックである。インターホン取り付けブロック３は、図４に示す方形の枠体３ａと、インターホン１０を支持するパネル３ｂとからなり、パネル３ｂには、インターホン操作用の開口が形成されている。
【００１７】
エンプティブロック４は、他の部材（照明灯８や室名札９など）を取り付けずに用いられるブロックであり、このエンプティブロック４を介して、上下方向に隣り合うブロック３，５同士を連結することにより、ブロック３，５の間隔を調整している。エンプティブロック４は、図４に示す方形の枠体４ａと、枠体の前面に固定された無地のパネル４ｂとからなる。
【００１８】
新聞受けブロック５は、新聞１１を受けるブロックであり、細長く折り畳んだ新聞１１を立てた姿勢で保持するようになっている。新聞受けブロック５は、図４に示す方形の枠体５ａと、枠体５ａの前面に固定されたパネル５ｂと、そのパネル５ｂとの間に新聞１１の差込口を形成するアーチ形部材５ｃと、パネル５ｂとアーチ形部材５ｃの間に差し込まれた新聞１１を受け止める底部材５ｄとからなる。
【００１９】
傘掛けブロック６は、傘１２の柄を引っ掛けるブロックであり、このブロックに傘１２の柄を掛けることにより、濡れた傘１２を吊り下げた状態で室外に置いておけるようになっている。傘掛けブロック６は、図４に示す方形の枠体６ａと、枠体６ａの前面に固定されたパネル６ｂと、傘１２の柄を引っ掛ける水平バー６ｃとからなり、水平バー６ｃは、パネル６ｂの前面に固定されている。
【００２０】
花台ブロック７は、飾り物（観賞用の花を生けたプランターなど）１３を載置するブロックである。花台ブロック７は、図４に示す方形の枠体７ａと、枠体７ａの前面に固定されたパネル７ｂと、飾り物１３を載置する水平板７ｃとからなり、水平板７ｃは、パネル７ｂの前面に固定されている。
【００２１】
上述した各ブロック１〜７は、図３に示すように、パネル１ｂ〜７ｂの上下方向の長さが互いに等しく、パネル１ｂ〜７ｂの左右方向の幅も互いに等しく形成されている。
【００２２】
また、上述した各ブロック１〜７は、図４に示すように、枠体１ａ〜５ａが上下方向に連結されており、その左右方向に、ジョイント１４を介して枠体６ａ，７ａが接続されている。
【００２３】
上下方向に並べて配置された枠体１ａ〜５ａのうち、上下端の枠体１ａ，５ａ以外の枠体２ａ〜４ａはすべて同一形状であり、これらの枠体２ａ〜４ａの上下方向の長さは、各パネル２ｂ〜４ｂの上下方向の長さと等しく、これらの枠体２ａ〜４ａの左右方向の幅は、各パネル２ｂ〜４ｂの左右方向の幅よりも狭く形成されている。
【００２４】
また、上下方向に並べて配置された枠体１ａ〜５ａのうちの上端の枠体１ａと下端の枠体５ａは互いに同一形状であり、これらの枠体１ａ，５ａの上下方向の長さは、各パネル１ｂ，５ｂの上下方向の長さよりも短く、これらの枠体１ａ，５ａの左右方向の幅は、各パネル１ｂ，５ｂの左右方向の幅よりも狭く形成されている。
【００２５】
また、上下方向に並べて配置された枠体１ａ〜５ａの左右方向に接続された枠体６ａ，７ａは、上下端の枠体１ａ，５ａと同一形状であり、上下端の枠体１ａ，５ａに対して９０度回転した姿勢で配置されている。
【００２６】
上述した構成のエントランスユニットは、次のようにして組み立てることができる。
【００２７】
図５に示すように、上下方向に隣り合う枠体２ａ，３ａのうち、上側の枠体２ａに形成された突起１５を、下側の枠体３ａに形成された蟻溝１６に係合させるとともに、上側の枠体２ａに形成された蟻溝１７に、下側の枠体３ａに形成された突起１８を係合させ、その係合によって、枠体２ａ，３ａ同士を連結する。上下方向に隣り合う他の枠体同士（１ａ，２ａ同士、３ａ，４ａ同士、４ａ，５ａ同士）も同様にして連結する。
【００２８】
また、図５に示すように、左右方向に隣り合う枠体３ａ，７ａ同士の間にジョイント１４を介在させ、そのジョイント１４に形成された突起１９を、枠体３ａに形成された蟻溝２０に係合させる。さらに、他方の枠体７ａに形成された突起２１を、ジョイント１４に形成された蟻溝２２に係合させるとともに、枠体７ａに形成された蟻溝２３に、ジョイント１４に形成された突起２４を係合させ、その係合によって、枠体３ａ，７ａ同士を連結する。同様に、左右方向に隣り合う他の枠体５ａ，６ａ同士も、図４に示すようにジョイント１４を介して連結する。
【００２９】
このように枠体１ａ〜７ａを連結した後、図６に示すように、各パネル１ｂ〜７ｂの後面から突出して設けられたボルト２５を、各枠体１ａ〜７ａに形成された貫通孔２６に挿入し、その貫通孔２６からのボルト２５の突出端にナット２７をかけ、そのナット２７を締め付けて、各パネル１ｂ〜７ｂを枠体１ａ〜７ａに固定する。
【００３０】
このように、各ブロック１〜７を一体化したエントランスユニットの設置は、図７に示すように、玄関の壁面Ｗにアンカーボルト等で固定したブラケット２８にビス止めすることによって行なうことができる。
【００３１】
このエントランスユニットは、傘掛けブロック６や花台ブロック７を一体に有するので、傘掛けや花台を別個に設置する必要がなく、玄関の統一感を損なわない。
【００３２】
また、このエントランスユニットは、傘掛けブロック６や花台ブロック７を左右方向に接続したので、傘掛けブロック６に掛けた傘１２で、新聞受けブロック５に差し込まれた新聞１１が濡れたり、花台ブロック７に飾った花で室名表示ブロック２やインターホン取り付けブロック３が隠れたりするのを防止することができ、使い勝手に優れる。
【００３３】
また、ブロック１〜７の組み合わせ方（使用するブロック１〜７の選択の仕方や、その選択したブロックの配置の仕方）を変えることにより、エントランスユニットを自由にデザインすることができる。
【００３４】
例えば、集合住宅の住戸のエントランスユニットとして納入する場合、ブロック１〜７をすべて使用したデザインを採用することができ、ホテルの客室のエントランスユニットとして納入する場合、ブロック１〜７のうち、インターホン取り付けブロック３、新聞受けブロック５、傘掛けブロック６を除いたブロックを使用したデザインを採用することができる。また、傘掛けブロック６、花台ブロック７の上下方向の位置も、エントランスユニットの納入先の要望に応じて自由に変更することができる。
【００３５】
上記実施形態では、エントランスユニットの照明取り付け部、室名表示部、インターホン取り付け部、新聞受け部、傘掛け部、花台部に相当する部分に、着脱可能に連結された各ブロック１〜３，５〜７を採用することにより、エントランスユニットのデザインの自由度を高めているが、この発明は、他の形式のエントランスユニットにも適用することができる。
【００３６】
例えば、上下方向に並べて配置した照明取り付け部材、室名表示部材、インターホン取り付け部材、新聞受け部材を、上下方向に延びる左右一対のレールの間に挟み込み、その左右方向に、傘掛け部材と花台部材を溶接等により接続してもよい。また、照明取り付け部、室名表示部、インターホン取り付け部、新聞受け部を上下方向に並べて一体不可分に連結し、その左右方向に傘掛け部と花台部を一体不可分に接続してもよい。
【図面の簡単な説明】
【００３７】
【図１】この発明の実施形態のエントランスユニットを玄関扉の横に設置した状態を示す斜視図
【図２】図１に示すエントランスユニットの斜視図
【図３】図１に示すエントランスユニットの正面図
【図４】図２のエントランスユニットの枠体を示す斜視図
【図５】図４の枠体を組み立てる過程を示す分解斜視図
【図６】図４の枠体にパネルを取り付ける過程を示す分解斜視図
【図７】図２のエントランスユニットを玄関の壁面に設置する過程を示す斜視図
【符号の説明】
【００３８】
１      照明取り付けブロック
２      室名表示ブロック
３      インターホン取り付けブロック
５      新聞受けブロック
６      傘掛けブロック
７      花台ブロック
【図１】
2009045330.tif 000003
【図２】
2009045330.tif 000004
【図３】
2009045330.tif 000005
【図４】
2009045330.tif 000006
【図５】
2009045330.tif 000007
【図６】
2009045330.tif 000008
【図７】
2009045330.tif 000009